(57)【特許請求の範囲】
【請求項１】
レンズ又はこのレンズを保持するフレームの顔面中央側縁部から上側縁部及び下側縁部の中間部までの部位において延出させられ、これらの縁部と使用者の顔面の間の隙間を封鎖する風防を設けた、風避け眼鏡。
【請求項２】
上記風防は、左右の目頭部の顔面中央側部位から左右目尻部の上下近傍に位置する部分に形成された左右の風防部から構成されている、請求項１に記載の風避け眼鏡。
【請求項３】
上記左右の風防部をそれぞれ独立して形成した、請求項１又は請求項２のいずれかに記載の風避け眼鏡。
【請求項４】
上記左右の風防部を一体的に連続して形成した、請求項１又は請求項２のいずれかに記載の風避け眼鏡。
【請求項５】
左右の目に対応する一のレンズを備えるとともに、上記風防が、上記レンズ又はこれを保持するフレームに沿って一体的に形成されている、請求項１から請求項４のいずれかに記載の風避け眼鏡。
【請求項６】
鼻当て部が、上記風防と一体的に形成されている、請求項１から請求項５のいずれかに記載の風避け眼鏡。
【請求項７】
上記フレームを硬質樹脂又は金属で形成する一方、上記風防を柔軟な樹脂材料で形成した、請求項１から請求項６のいずれかに記載の風避け眼鏡。
【請求項８】
上記レンズの外周部とこれを保持する上記フレームの間に中間枠部を設けるとともに、この中間枠部に上記風防を設けた、請求項１から請求項７のいずれかに記載の風避け眼鏡。
【請求項９】
上記左右の風防部は、目頭部の幅方向内側から目尻部の近傍まで次第に高さが減少するテーパ状に形成されている、請求項１から請求項８のいずれかに記載の風避け眼鏡。
【請求項１０】
レンズ又はこれを保持するフレームにおける顔面中央側縁部から上側縁部及び下側縁部の中間部までの部位において、これら縁部と使用者の顔面の間の隙間を封鎖する風防を、上記レンズ及び／又はフレームに対して着脱可能に設けた、風避け眼鏡。
【請求項１１】
上記風防は、上記レンズ又は上記フレームの縁部に沿って、目頭部の顔面中央側部位から目尻部の上下位置近傍まで形成された左右の風防部を備えて構成されている、請求項１０に記載の風避け眼鏡。
【請求項１２】
鼻当て部が、上記風防と一体的に形成されている、請求項１０又は請求項１１のいずれかに記載の風避け眼鏡。
【請求項１３】
上記風防が、磁力又は弾性を用いた連結手段によって、上記レンズ及び／又は上記フレームに着脱可能に連結されている、請求項１０から請求項１２のいずれかに記載の風避け眼鏡。
【請求項１４】
上記レンズ及び／又は上記フレームに、上記風防の外周縁部を囲む延出部を一体的に設けた、請求項１０から請求項１３のいずれかに記載の風避け眼鏡。
【請求項１５】
上記レンズの外周部とこれを保持する上記フレームとの間に中間枠部を設け、この中間枠部に、上記延出部を設けた請求項１４に記載の風避け眼鏡。
【請求項１６】
上記レンズの外周部とこれを保持する上記フレームの間に中間枠部を設けるとともに、この中間枠部に上記風防部を着脱可能に設けた、請求項１０から請求項１５のいずれかに記載の風避け眼鏡。
【請求項１７】
上記左右の風防部は、目頭部の幅方向内側から目尻部の近傍まで次第に高さが減少するテーパ状に形成されている、請求項１０から請求項１６のいずれかに記載の風避け眼鏡。
【請求項１８】
レンズ又はこれを保持するフレームの縁部に沿って、左右目頭部の顔面中央側部位から目尻部の上下位置近傍までに形成された左右の風防部と、
この風防部を上記レンズ及び／又はフレームに対して着脱可能に連結する連結手段とを備える、眼鏡用風防。
【請求項１９】
上記左右の風防部を各々独立して設けるとともにこれら風防部を顔面中央部において連結する連結部を設け、この連結部をレンズ、フレーム又は鼻当て部の一以上の部位に連結する連結手段を設けた、請求項１８に記載の眼鏡用風防。
【請求項２０】
上記左右の風防部は、目頭部の幅方向内側から目尻部の近傍まで次第に高さが減少するテーパ状に形成されている、請求項１８又は請求項１９のいずれかに記載の眼鏡用風防。
【請求項２１】
レンズとこのレンズを保持するフレームとを備える眼鏡において、上記レンズ又は上記フレームにおける顔面中央側縁部から上側縁部及び下側縁部の中間部までの部位において延出させられ、これらの縁部と使用者の顔面の間の隙間を封鎖する風防を設けるとともに、上記風防に第二のレンズ部を設けた、風避け眼鏡。
【請求項２２】
上記風防部と鼻当て部とを一体的に形成した、請求項２１に記載の眼鏡用風防。
【請求項２３】
レンズ又はこれを保持するフレームにおける顔面中央側縁部から上側縁部及び下側縁部の中間部までの部位に、これら縁部と使用者の顔面の間の隙間を封鎖する風防を設けることにより、顔面中央部から両側に向かって流れる気流が眼鏡内面と顔面との間の空間に侵入するのを阻止する、眼鏡における風避け方法。
【発明の詳細な説明】
【技術分野】
【０００１】
本願発明は、風避け眼鏡、眼鏡用風防及び眼鏡における風避け方法に関する。詳しくは、オートバイに乗車したり、スキー等のスポーツを行う場合に、眼鏡の内側に気流が侵入するのを防止できる風避け眼鏡に関する。
【背景技術】
【０００２】
自動二輪車やオープンカーに乗車したり、スキー等の野外でのスポーツを行う場合に、サングラスを着用することが多い。サングラスを着用することにより、紫外線から目を守ることができるばかりでなく、高速移動に伴って生じる気流が目に直接当たるのを防止することができる。
【０００３】
一方、フレームあるいはレンズの全周縁部に風や埃の侵入を防止する周壁を設けたゴーグルが提供されている。ゴーグルは、レンズの縁部と目の周囲の顔面との間の隙間を完全に封鎖できるため、レンズ及びフレームの内側の空間に気流が侵入することはない。これにより、風や気流が目に作用するのを防止できる。
【０００４】
目に涙を供給する涙腺は左右眼球の幅方向外方上部、すなわち、目尻部の上方にある。したがって、涙は目尻部の上方部位から目頭部に向けて流れ、目の潤いを保持し、種々の刺激から目を守っている。
【０００５】
一方、顔を進行方向に向けて高速で移動する場合、気流が顔面に衝突するとともに、この気流が鼻すじを境にして左右に分岐し、顔面に沿って両側方に流れる。この顔面に沿う気流は、眼鏡を着用していても、眼鏡と顔面との間の隙間に入り込む。上記気流は、眼球表面に対して上記涙の流れる方向と逆方向に作用する。このため、眼鏡を着用していても涙の流れが乱されて目が乾く。また、炎症を生じさせる場合も多い。したがって、自動二輪車で走行したりスキーを行う場合には、従来のサングラスや眼鏡は風避けとして機能しない場合が多い。
【発明の開示】
【発明が解決しようとする課題】
【０００６】
上記問題を緩和するため、眼鏡のレンズ部及びフレームを顔面に近づけるように構成したものが提供されている。ところが、レンズ部及びフレームを顔面に近付けただけでは、顔面とレンズの間の隙間が存在するため、上記顔面に沿って流れる気流が眼鏡の内側に侵入するのを阻止できない。また、レンズ部を顔面に近づけすぎると、使用者のまつげがレンズ部の内面に当たって、レンズ表面を汚したり傷つけることが多い。
【０００７】
上記ゴーグルは、目の全周を囲む周壁を備えるため、顔面に沿う気流が眼鏡の内側空間に侵入するのを完全に防止することができる。ところが、周壁が設けられているため使用者の顔の外観が大きく変わってしまう。このため、眼鏡のように常時着用するには抵抗がある。また、上記周壁を目の回りの顔面の凹凸に対応させるため、ゴムバンド等を用いてゴーグルを顔面に押しつけた状態で装着しなければならない。このため、ゴーグルを着脱するのは面倒である。また、ゴーグルに見栄えのよい外観デザインを施すことも困難である。しかも、上記ゴーグルのレンズ内面は、外気と遮断されているため、内外の温度差があると曇り易い。このため、視界を確保することが困難になる場合も多い。
【０００８】
さらに、視力矯正用の度付きレンズを装着した眼鏡にサングラスの機能を持たせる場合、上記度付きレンズに着色を施しあるいは上記度付きレンズの外面に紫外線避けの着色プレートを装着することが多い。ところが、上記着色プレートはレンズの外面に設けられるため、眼鏡の外観デザインを変更し、眼鏡の外観見栄えが低下する。また、上記着色プレートは、レンズの外面に着脱可能に設けられるため装着強度が低い。このため、強い気流が作用すると、振動したりフレームから外れたりする恐れもある。
【課題を解決するための手段】
【０００９】
本願発明に係る風避け眼鏡は、レンズ又はこのレンズを保持するフレームの顔面中央側縁部から上側縁部及び下側縁部の中間部までの部位において延出させられ、これらの縁部と使用者の顔面の間の隙間を封鎖する風防を設けて構成される。
【００１０】
上記風防は、使用者の目の内方、上方及び下方を、上記の範囲にわたって連続的に封止する。上記風防を設けることにより、顔面を流れる気流が上記風防の外側を沿うように流路が変更される。このため、顔面に沿う気流が眼鏡の内面と顔面との間に流入するのを防止できる。特に、上記気流が目頭部から目尻部に向けて作用するのを有効に防止できる。これにより、目の表面の涙の流れを乱すことがなくなり、目が気流により乾いて炎症を起こしたり、目に異物が入るのを有効に防止できる。上記風防を目尻部の上下近傍の部位まで、あるいは上記目尻部の近傍を越えて設けることにより、走行に伴う気流が目に作用するのを有効に防止することができる。しかも、本願発明に係る風避け眼鏡は、ゴーグルのようにレンズの全周を封鎖するものでないため、レンズの曇りが少ない。
【００１１】
また、上記風防は、通常の形態のレンズ又は眼鏡フレームの内側に形成されるため、眼鏡の外観をほとんど変更することはなく、眼鏡のデザイン性が低下することもない。また、従来の眼鏡と同様にテンプルによって着用できるため、使い勝手がよい。また、レンズ部の表面と顔面との間の隙間を大きくとることもできるため、まつげがレンズ部表面に当接することもなくなり、レンズを汚したり、傷つけたりする恐れもない。
【００１２】
請求項２に記載した発明のように、上記風防を、左右の目頭部の顔面中央側部位から左右目尻部の上下近傍に位置する部分に形成された左右の風防部から構成することができる。目尻部の上下近傍まで風防を設けることにより、目に作用する気流の流入を充分に防止できる。なお、眼鏡フレームの形態に応じて、目尻部を越えた外側まで風防を設けることもできる。例えば、左右のリム部が長方形状をしている場合には、内側縁部と上下縁部とに風防を設けることができる。また、使用目的や顔面に作用する気流の強さ等によっては、目尻部まで到達しない風防によっても充分な効果を期待できる。
【００１３】
レンズの内面と顔面との間に気流が入り込むのを防止できれば、請求項３に記載した発明のように、上記左右の風防部をそれぞれ独立して設けてもよいし、請求項４に記載した発明のように、左右の風防部を一体的に連続して設けてもよい。なお、左右の風防部を一体的に連続して設ける場合であっても、風防内において顔面の幅方向に流れる気流を阻止するため、左右の風防部間に仕切壁を設けるのが望ましい。
【００１４】
上記風防の形態も特に限定されることはない。たとえば、請求項９に記載した発明のように、目頭部の幅方向内側から目尻部の近傍までを次第に高さが減少するテーパ状に形成することができる。上記風防をテーパ状に形成することにより、着用時に違和感がない。また、テーパ状に形成した風防を設けることにより、ほとんどの人の顔の凹凸に対応できる。さらに、目の全周囲を覆うのではないため、ゴーグルのように顔の表情が判らなくなることもない。
【００１５】
請求項５に記載した発明のように、左右の目に対応する一のレンズを備える眼鏡に適用するとともに、上記風防を、上記レンズ又はこれを保持するフレームに沿って一体的に形成することができる。
【００１６】
眼鏡の形態も特に限定されることはない。レンズの縁部を保持するリム部を備える眼鏡のみならず、左右のレンズをブリッジを介して直接連結した形態の眼鏡、レンズに直接テンプルを連結した形態の眼鏡にも適用できる。上記リム部の形態も限定されることはなく、レンズの全周囲を保持するリム部のみならず、上縁部のみを保持するリム部を備える眼鏡にも対応できる。また、眼鏡の使用目的も限定されることはなく、サングラス、視力矯正用の眼鏡、作業用眼鏡等の種々の眼鏡に適用できる。上記フレームの材質や製造方法も限定されることはない。本願発明を、樹脂で形成されたフレームにも金属で形成されたフレームにも適用できる。
【００１７】
請求項６に記載した発明は、鼻当て部が、上記風防と一体的に形成されているものである。目に作用する気流は、鼻当て部の近傍から顔面と眼鏡の間に流入することが多い。このため、風防部を鼻当て部と一体的に形成することにより、効果を期待できる。また、風防部と鼻当て部とを一体的に形成することにより、眼鏡の製造も容易になる。
【００１８】
上記風防は、上記レンズ部又は上記フレームに対して一体的に形成することもできるし、風防部とフレームとを異なる材料で形成して接着等により一体化することもできる。
【００１９】
たとえば、着色樹脂からなるフレームと透明樹脂からなる風防とを一体的に形成することができる。上記風防を透明樹脂から形成すると、風防がより目立たなくなってフレーム本体が太くなった印象を緩和できる。このため、デザイン性が向上する。また、風防部分から眼鏡の内部空間に光が入るため、通常の眼鏡フレームと同様の外観や装着感を得ることができる。
【００２０】
また、上記フレームと風防との境界部の外面に、上記境界部に沿って延びる境界溝を形成するのが好ましい。上記境界溝は、上記風防の外観に与える影響を低減させる。また、上記風防部を透明樹脂で形成するとともに上記溝を設けることにより、上記境界溝部分で光が屈折し、一種のプリズム効果を与えて、従来にないフレームデザインを構成する。上記境界溝は、少なくとも風防の上縁部に沿って設けるのが望ましい。風防の上縁部は眼鏡フレームにおいて最も目立つ部分だからである。
【００２１】
また、請求項７に記載したように、柔軟な樹脂材料で形成した風防部を、硬質樹脂又は金属で形成したフレームに接着することもできる。
【００２２】
さらに、請求項８に記載した発明のように、上記レンズの外周部とこれを保持する上記フレームの間に中間枠部を設けるとともに、この中間枠部に上記風防を設けることができる。
【００２３】
上記中間枠部を介して風防を設けることにより、レンズ及びフレームを従来と全く同様の手法で形成することができる。また、種々の形態、サイズの風防を容易に製作できる。
【００２４】
請求項１０から請求項１７に記載した発明は、上記風防を上記レンズ及び／又はフレームに対して着脱可能に設けたものである。
【００２５】
請求項１０に記載した発明は、レンズ又はこれを保持するフレームにおける顔面中央側縁部から上側縁部及び下側縁部の中間部までの部位において、これら縁部と使用者の顔面の間の隙間を封鎖する風防を、上記レンズ及び／又はフレームに対して着脱可能に設けたものである。
【００２６】
上記風防を着脱可能に設けることにより、必要な場合のみ風防を装着できる。このため、眼鏡の使い勝手が大幅に向上する。また、風防を装着しない場合は、従来と同様の眼鏡の形態を採ることができるため、デザイン上も好都合である。さらに、種々の形態の風防を取り揃えて使用者の顔面形態に応じて選択することが可能となり、風避け効果の高い風防を形成することが可能となる。
【００２７】
着脱可能な風防を装着できる眼鏡の形態も、請求項１から請求項９に記載した発明と同様に限定されることはない。
【００２８】
また、風防の形態も限定されることはなく、たとえば、請求項１１に記載した発明のように、上記風防を、上記レンズ又は上記フレームの縁部に沿って、目頭部の顔面中央側部位から目尻部の上下位置近傍まで形成された左右の風防部を備えて構成することができる。上記左右の風防部のそれぞれを、レンズ及び／又はフレームに対して着脱可能に連結することもできるし、左右の風防部を一体化した風防を設け、この風防を一体的にレンズ及び／又はフレームに着脱するように構成できる。
【００２９】
請求項１２に記載した発明のように、鼻当て部を、上記風防と一体的に形成することができる。鼻当て部を風防と一体的に形成するとともに、鼻当て部の形態を顔面形態に応じて変更することにより、使用者の顔面に対応した風防を選択することが可能となる。
【００３０】
上記風防を着脱可能に設ける手段として、種々のものを採用できる。たとえば、請求項１３に記載した発明のように、上記風防を、磁力又は弾性を用いた連結手段によって、上記レンズ及び／又は上記フレームに着脱可能に連結することができる。また、フレームに溝あるいは突起を形成し、この溝あるいは突起に柔軟な樹脂で形成された風防を着脱可能に装着することができる。
【００３１】
上記風防と上記レンズあるいはフレームとの連結部位は特に限定されることはない。レンズの縁部に直接連結することもできるし、レンズを保持するリム部やブリッジ、あるいは鼻当て部に連結することができる。
【００３２】
風防をレンズ及び／又はフレームに対して着脱可能に設ける場合、上記風防と上記レンズあるいはフレームとの間に隙間が生じないように構成するのが望ましい。たとえば、請求項１４に記載した発明のように、上記レンズ及び／又は上記フレームに、上記風防の外周縁部を囲む延出部を一体的に設けることができる。上記延出部を設けることにより、風防の縁部を延出部の内側に嵌め込むように装着することができる。したがって、風防とフレームの間に隙間が生じるのを防止でき、気流が眼鏡の内側に流入するのを阻止できる。
【００３３】
上記延出部は、請求項１５に記載した発明のように、上記レンズの外周部とこれを保持する上記フレームとの間に設けた中間枠部に設けることができる。上記中間枠部に上記延出部を設けることにより、レンズ及びフレームを従来と全く同様の手法で製造することができる。また、種々の形態の風防に合致する延出部を形成できる。
【００３４】
請求項１６に記載した発明は、上記レンズの外周部とこれを保持する上記フレームの間に中間枠部を設けるとともに、この中間枠部に上記風防部を着脱可能に設けたものである。
【００３５】
これにより、レンズ及びフレームを従来と全く同様の手法で製造することができる。また、種々の形態の風防を装着することが可能となる。たとえば、連続した突起を上記中間枠部に設け、この突起を利用して柔軟な樹脂で形成された風防部を着脱可能に装着できる。
【００３６】
本願の請求項１７に記載した発明は、上記左右の風防部を、目頭部の幅方向内側から目尻部の近傍まで次第に高さが減少するテーパ状に形成したものである。上記請求項９に記載した発明と同様の効果を期待できる。
【００３７】
本願の請求項１８から請求項２０に記載した発明は、風防自体に関するものである。
【００３８】
請求項１８に記載した発明に係る風防は、レンズ又はこれを保持するフレームの縁部に沿って、左右目頭部の顔面中央側部位から目尻部の上下位置近傍までに形成された左右の風防部と、この風防部を上記レンズ及び／又はフレームに対して着脱可能に連結する連結手段とを備えるものである。
【００３９】
上記連結手段は、特に限定されることはない。レンズ及び／又はフレームの縁部に連結手段を設けたもののみならず、従来のレンズやフレームを利用して連結できるように構成できる。また、鼻当て部や鼻パッド等に連結するように構成することもできる。
【００４０】
請求項１９に記載した発明は、上記左右の風防部を各々独立して設けるとともにこれら風防部を顔面中央部において連結する連結部を設け、この連結部をレンズ、フレーム又は鼻当て部の一以上の部位に連結する連結手段を設けたものである。
【００４１】
上記連結部は、上記風防部と同一の材料で一体的に形成することもできるし、他の部材で左右の風防部を連結するように構成することもできる。
【００４２】
請求項２０に記載した発明は、上記左右の風防部は、目頭部の幅方向内側から目尻部の近傍まで次第に高さが減少するテーパ状に形成したものである。上記請求項９に記載した発明と同様の効果を期待できる。
【００４３】
請求項２１に記載した発明は、レンズとこのレンズを保持するフレームとを備える眼鏡において、上記レンズ又は上記フレームにおける顔面中央側縁部から上側縁部及び下側縁部の中間部までの部位において延出させられ、これらの縁部と使用者の顔面の間の隙間を封鎖する風防を設けるとともに、上記風防に第二のレンズ部を設けた風避け眼鏡に関する。
【００４４】
従来、度付きの眼鏡にサングラスの機能を持たせるには、度付きレンズに着色を施したり、レンズの外側に板状のプレートを装着する必要があった。本願発明に係る風避け眼鏡においては、顔面とレンズとの間に設けた風防を利用して、容易に第二のレンズ部を設けることができる。上記第二のレンズは、サングラス用レンズでも、度付きレンズであってもよい。
【００４５】
外側にサングラス用レンズを採用するとともに、第二のレンズに度付レンズを採用すると、度付きレンズが外側から見えにくくなり、外観見栄えも向上する。また、上記風防を取り外すことができるため、通常のサングラスとして使用することも可能となる。
【００４６】
上記第二のレンズは、上記風防に対して固定的に設けることもできるし、着脱可能に設けることもできる。第二のレンズ部を着脱可能に設けることにより、目的に応じた矯正レンズを容易に交換して使用することが可能となる。
【００４７】
さらに、上記風防も、レンズ又はフレームに対して固定的に設けることもできるし、着脱可能に設けることもできる。
【００４８】
請求項２２に記載した発明は、上記風防と鼻当て部とを一体的に形成したものである。
【００４９】
上記鼻当て部は、目頭部の幅方向内方に配置されて鼻表面に当接させられ、使用者の目とレンズの間の距離を決定する。また、上記鼻当て部は、本願発明に係る左右の風防部を設ける位置に隣接しており、上記鼻当て部と風防とを一体的に形成することにより、構造を簡略化できるのみならず製造工程を簡略化できる。さらに、高さや形状の異なる鼻当て部を備える種々の風防を取り揃えることにより、使用者の顔面形態や、目とレンズとの間の距離を調節することも可能となる。
【００５０】
上記鼻当て部を、上記風防部、上記レンズ部、上記フレームの一以上の部位に対して着脱可能に連結することもできる。
【００５１】
本願の請求項２３に記載した発明は、レンズ又はこれを保持するフレームにおける顔面中央側縁部から上側縁部及び下側縁部の中間部までの部位に、これら縁部と使用者の顔面の間の隙間を封鎖する風防を設けることにより、顔面中央部から両側に向かって流れる気流が眼鏡内面と顔面との間の空間に侵入するのを阻止する眼鏡における風避け方法に関する。
【００５２】
進行方向に顔を向けて走行する場合、顔面に当たった気流は、鼻すじを境にして両側方に分岐して流れる。この分岐した気流は眼鏡と顔面との間に入り込んで目に悪影響を及ぼす。特に、目頭部から目尻部に向けて気流が作用すると涙の流れを阻害し、炎症等を生じさせる。
【００５３】
本願発明に係る風避け方法は、上記気流の流路を変更することにより、上記問題を解決するものである。上記風防を設けることにより、目頭部から目尻部に向かう気流の発生を抑制し、目が乾いて炎症が生じるのを防止できる。また、気流の流路を変更できればよく、目の全周を覆う必要はない。このため、目尻部分より外側部分を外気に開放することにより、眼鏡内側空間を換気してレンズの曇りを防止できる。
【００５４】
本願発明に係る風避け方法は、顔面中央部から目尻部近傍までの間における眼鏡縁部と顔面との間の隙間を封鎖する必要がある。一方、顔面の形態は各人によって異なる。したがって、眼鏡と顔面との距離を調節して上記隙間を封鎖できるように構成するのが望ましい。たとえば、上記鼻当て部の高さ及び形状を使用者に合わせて調節することにより、高い風避け効果を得ることができる。また、風防を着脱可能に設け、使用者の顔の形態に合致した風防を選択できるようにするのが望ましい。
【発明を実施するための最良の形態】
【００５５】
図１から図５に本願発明に係る風避け眼鏡の第１の実施の形態を示す。
風避け眼鏡１０１は、従来のこの種の眼鏡と同様に、樹脂製のフレーム１０２に左右のレンズ１０６，１０６を嵌め込んで構成されている。上記フレーム１０２は、上記レンズ１０６，１０６を保持する左右のリム部１０３，１０３と、これらリム部１０３，１０３を連結するブリッジ部１０４と、上記リム部１０３，１０３の外方縁部に丁番１０８，１０８を介して回動可能に連結された一対のテンプル１０５，１０５とを備える。本実施の形態では、上記ブリッジ部１０４の背面に、使用者の鼻に当接して眼鏡を保持する鼻当て部１４１が一体的に形成されている。
【００５６】
上記リム部１０３，１０３の顔面中央側縁部から上側縁部及び下側縁部の中間部までの部位において、使用者の顔面に向けて延出させられ、顔面とリム部１０３，１０３の間の隙間を封鎖できる左右の風防部１０７，１０７が設けられている。上記風防部１０７，１０７は、上記リム部１０３，１０３と一体的に形成されている。図５に示すように、上記各風防部１０７，１０７は、リム部１０３の顔面中央側縁部から目頭部を囲むように延出形成された内方壁部１７３と、リム部１０３の上縁部から延出形成された上方壁部１７１と、リム部１０３の下縁部から延出形成された下方壁部１７２とを備え、これら壁部をリム部１０３に沿って連続的に形成して構成されている。
【００５７】
図３及び図４に示すように、上記上方壁部１７１及び上記下方壁部１７２は、幅方向外方に向けて高さが減少するテーパ状に形成されており、使用者の目尻部近傍に対応する幅方向位置まで、使用者の顔面に当接して、リム部１０３と顔面の間の隙間を封鎖できるように形成されている。
【００５８】
上記風防部１０７によって、使用者の目頭部の内側から目尻部に対応する上下縁部までの間において、眼鏡の内面と顔面との間に形成される隙間を封鎖することができる。これにより、高速移動等にともなって生じる使用者の顔面に沿う気流の流路が変更され、上記気流が上記眼鏡と顔面との間に流入して、目に作用することがなくなる。この結果、涙の流れが阻害されて目が乾いたり、炎症が生じるのを防止することができる。
【００５９】
一方、図１及び図２に示すように、上記風防部１０７は、リム部１０３，１０３の内側に形成されているため、眼鏡の外観は従来とほとんど変わらない。このため、眼鏡の外観見栄えが低下することもない。しかも、リム部１０３，１０３の幅方向外側部は、壁部が設けられていないため外気に開放されている。したがって、眼鏡と顔面との間の換気が行われ、レンズ内側の曇りを防止することができる。しかも、従来の眼鏡と全く同様に着脱できるため、使い勝手もよい。
【００６０】
図６から図１０に本願発明の第２の実施の形態を示す。
【００６１】
これらの図に示すように、第２の実施の形態に係る風避け眼鏡２０１は、フレーム２０２を硬質樹脂で形成するとともに、柔軟な樹脂で形成した風防２０７を上記フレーム２０２のリム部２０３の内面に連結している。
【００６２】
図８及び図１０に示すように、リム部２０３の顔面中央側縁部から上側縁部及び下側縁部の中間部までの部位の内面に、係合溝２６１が形成されている。上記係合溝の端部は、上側縁部及び下側縁部の中間部でリムの表面に連絡するように形成されている。図７及び図９に示すように、風防２０７は、中央部の高さが高いテーパ状に形成されており、目頭部を囲む内方壁部２７３と、上記リム部２０３の上縁部から延出する上方壁部２７１と、上記リム部２０３の下縁部から延出する下方壁部２７２とを延伸した状態に形成されている。図９及び図１０に示すように、上記風防２０７の連結面には上記係合溝２６１の断面形状に対応した係合突起２７４が形成されている。図８の矢印で示す方向に、上記係合突起２７４を上記係合溝２６１の端部からスライドさせるように挿入して係合させることにより、風防２０７がフレーム２０２の左右のリム部２０３に装着される。
【００６３】
本実施の形態に係る風防は、柔軟な樹脂で形成されているため、使用者の顔面の凹凸に応じて変形することができる。このため、リム部２０３と顔面との間の隙間を精度高く封鎖することができる。また、使用者の顔面の形態や、好みに応じた種々の風防を形成して、フレーム２０２と組み合わせて使用することができる。また、柔軟な樹脂で形成されているため、使用者の顔面に対する接触感覚も良い。
【００６４】
図１１及び図１２に、本願発明の第３の実施の形態を示す。
第３の実施の形態に係る風避け眼鏡３０１は、第２の実施の形態と同様に、フレーム３０２を硬質樹脂で形成するとともに、柔軟な樹脂で形成した風防３０７を上記フレーム３０２のリム部３０３の内面に連結している。
【００６５】
本実施の形態では、図１２に示すように、リムの内面に係合突起３７４を形成するとともに、風防３０７の連結面に係合溝３６１を形成している。上記風防３０７は、第２の実施の形態と同様にして、リム部３０３に装着される。
【００６６】
図１３から図２２に、本願発明の第４の実施の形態を示す。
これらの図に示すように、風避け眼鏡４０１は、金属製のフレーム４０２に左右のレンズ４０６，４０６を嵌め込んで構成されている。上記フレーム４０２は、上記レンズ４０６，４０６を保持する左右のリム部４０３，４０３と、これらリム部４０３，４０３を連結するブリッジ部４０４及び眉部４１８と、眉部４１８の両端部に丁番４０８，４０８を介して回動可能に連結された一対のテンプル４０５，４０５とを備えて構成される。本実施の形態では、上記ブリッジ部４０４として一山ブリッジを採用している。
【００６７】
本実施の形態に係る眼鏡４０１の背面には、上記ブリッジ部４０４を介して風防４０７が着脱可能に装着されている。
【００６８】
図１７から図２２に示すように、上記風防４０７は、樹脂で一体形成されており、目頭部を囲む内方壁部４７３と、上記リム部４０３の上縁部から延出する上方壁部４７１と、上記リム部４０３の下縁部から延出する下方壁部４７２とを左右に設け、これら壁部をリム部４０３ないしレンズ４０６の縁部に沿うように連続的に形成される。上記左右の壁部は、連結部４７４を介して一体的に形成されている。
【００６９】
上記連結部４７４は、上記眼鏡４０１のブリッジ４０４に沿う形状に形成されており、外面に上記ブリッジ４０４を収容する連結溝４８８が形成されている。図１７及び図１８に示すように、上記連結溝４８８は、上記連結部４７４及び上記内方壁部４７３の外面に沿って断面略コ字状に形成されており、上記ブリッジ４０４を弾性的に嵌合保持できるように構成されている。
【００７０】
図２２に示すように、上記上方壁部４７１び上記下方壁部４７２は、使用者の目尻部４１３の上下位置近傍までを囲むように形成されている。また、図１６に示すように、上記各壁部は、上記リム部４０３の顔面中央側縁部から上側縁部及び下側縁部の中間部までの部位において、使用者の顔面４１０とリム部４０３ないしレンズ４０６の間の隙間を封鎖できるように設定されている。
【００７１】
上記風防４０７を眼鏡に装着することにより、上述した第１の実施の形態と同様の効果を発揮させることができる。
【００７２】
さらに、本実施の形態では、風防４０７を着脱可能に構成しているため、使用者の顔面形態や、装着する眼鏡の形態に応じて種々の形態の風防を取り揃えることが可能となる。このため、風避け効果の高い風防を提供することができる。
【００７３】
また、上記風防４０７を取り外すことにより、眼鏡４０１を通常の眼鏡として使用することができる。また、眼鏡４０１のデザインを害することも少ない。しかも、風防４０７は眼鏡４０１の内側に装着されるため、顔面に強い気流が当たっても、振動したり外れたりする恐れもない。また、レンズ内面と顔面との間の空間を確保できるため、まつげがレンズに接触することもない。
【００７４】
図２３及び図２４に、本願発明に係る第５の実施の形態を示す。
本実施の形態に係る風防５０７は、第４の実施の形態に係る風防４０７を利用して、眼鏡の内側に第２のレンズ５１６を装着できるように構成したものである。なお、眼鏡５０１の形態は、第２の実施の形態と同様であるので説明は省略する。
【００７５】
図２３及び図２４に示すように、上記風防５０７は、樹脂で一体形成されており、眼鏡５０１のリム部５０３ないしレンズ５０６の縁部に沿って添着される左右の壁部を連結部５７４を介して連結した形態を備えている。
【００７６】
風防５０７を構成する上記左右の壁部は、リム部５０３ないしレンズ５０６の内縁部に添着される内方壁部５７３と、リム部５０３ないしレンズ５０６の上縁部に添着される上方壁部５７１と、リム部５０３ないしレンズ５０６の下縁部に添着される下方壁部５７２とを備え、これら壁部をリム部５０３ないしレンズ５０６に沿って連続的に形成されている。
【００７７】
上記連結部５７４は、第４の実施の形態と同様のブリッジに沿う形状に形成されており、外面に上記ブリッジを収容する連結溝５２８が形成されている。上記連結溝５２８は、上記連結部５７４及び上記内方壁部５７３の外面に沿って形成されており、上記ブリッジを弾性的に保持できるように構成されている。
【００７８】
上記上方壁部５７１及び上記下方壁部５７２は、第４の実施の形態に係る図２２と同様に、使用者の目尻部の上下位置近傍までを囲むように設定されており、上記各壁部は、上記リム部５０３の顔面中央側縁部から上側縁部及び下側縁部の中間部までの部位において、使用者の顔面とリム部５０３ないしレンズ５０６の間の隙間を封鎖できるように設定されている。
【００７９】
本実施の形態では、図２４に示すように、上記内方壁部５７３、上記上方壁部５７１及び上記下方壁部５７２の縁部に溝５３０を形成し、この溝５３０に度付きレンズ５１６の縁部を嵌め込んで保持している。一方、上記外側のレンズ５０６には、着色を施して紫外線の透過を阻止できるサングラス用レンズを採用している。
【００８０】
上記構成を採用することにより度付きレンズ５１６が外側から見えず、通常のサングラスを着用しているのと同様の外観を持たせることが可能となる。また、レンズの外側に着色プレートを装着した場合のように、眼鏡のデザインを損ねる恐れもない。しかも、上記風防５０７を取り外すことにより、通常のサングラスとして使用することもできる。
【００８１】
なお、上記第二のレンズ５１６は、上記風防５０７に固定的に設けることもできるし、着脱可能に設けることもできる。また、上記レンズ５０６に度付きレンズを採用する一方、上記第二のレンズ５１６にサングラス用レンズを採用してもよい。
【００８２】
図２５から図２７に、本願発明の第６の実施の形態を示す。
この実施の形態に係る風避け眼鏡６０１のフレーム６０２及び風防６０７の形態は、第５の実施の形態と同様であるので説明は省略する。
【００８３】
本実施の形態では、図２５及び図２６に示すように、上記フレーム６０２のリム部６０３とレンズ６０６の間に中間枠部６８１を設けている。図２７に示すように、上記中間枠部６８１の内側面にはレンズ６０６の係合突起６９０を収容する係合溝６９１が形成されている。また、上記中間枠部６８１の外側面には、リム部６０３の係合溝６９３に係合する係合突起６９２が形成されている。上記レンズ６０６は、上記中間枠部６８１を介してリム部６０３に保持されている。
【００８４】
図２７に示すように、上記中間枠部６８１の顔面側には、上記風防の外周縁部を覆うように延出部６９５が形成されている。上記延出部６９５を設けることにより、風防６０７の縁部を延出部６９５の内側に嵌め込むように装着することができるため風防６０７とリム部６０３の間に隙間が生じるのを防止でき、気流の流入を防止できる。
【００８５】
また、上記中間枠部６８１に上記延出部６９５を設けることにより、レンズ及びフレームを従来と全く同様の手法で製造することができる。また、種々の形態の風防に合致する延出部を形成できる。
【００８６】
図２８に、本願発明の第７の実施の形態を示す。
この実施の形態に係る風避け眼鏡７０１のフレーム７０２及び風防７０７の形態は、第５の実施の形態と同様であるので説明は省略する。
【００８７】
本実施の形態では、図２８に示すように、第６の実施の形態と同様の中間枠部に風防７０７を一体的に形成している。上記中間枠部７８１の内側面にはレンズ７０６の係合突起７９０を収容する係合溝７９１が形成されている。また、上記中間枠部７８１の外側面には、リム部７０３の係合溝７９３に係合する係合突起７９２が形成されている。上記レンズ７０６は、上記中間枠部７８１を介してリム部７０３に保持されている。
【００８８】
上記風防７０７は、これまでの実施の形態と同様に、目頭部を囲む内方壁部７７３と、上記リム部７０３の上縁部から延出する上方壁部７７１と、上記リム部７０３の下縁部から延出する下方壁部７７２とを左右に設けて構成される。各壁部は、目頭部の内側から目尻部の上下位置近傍までを囲むように設定されており、使用者の顔面とリム部７０３ないしレンズ７０６の間の隙間を封鎖できるように設定されている。
【００８９】
上記中間枠部７８１に上記風防７０７を一体的に設けることにより、レンズ及びフレームを従来と全く同様の手法で製造することができる。また、使用者の顔面形態に応じた種々の形態の風防を形成できる。
【００９０】
図２９から図３１に、本願発明の第８の実施の形態を示す。
この実施の形態に係る風避け眼鏡８０１は、第１の実施の形態に係る風防と同様の形状の風防８０７を、フレーム８０２と異なる色彩の樹脂で一体的に形成したものである。好ましくは、着色樹脂からなるフレーム８０２と透明樹脂からなる風防８０７とを一体的に形成するのがよい。
【００９１】
また、本実施の形態では、これらフレーム８０２と風防８０７との上縁境界部の外面に、上記境界部に沿って延びる境界溝８９０を形成している。
【００９２】
上記風防８０７を透明樹脂から形成すると、風防がより目立たなくなってフレーム本体が太くなった印象を緩和できる。このため、デザイン性が向上する。また、風防部分から眼鏡の内部空間に光が入るため、通常の眼鏡フレームと同様の外観や装着感を得ることができる。
【００９３】
上記境界溝８９０を形成することにより、上記風防の眼鏡の外観に与える影響を低下させることが可能となる。また、上記風防８０７を透明樹脂で形成するとともに上記境界溝８９０を設けることにより、上記境界溝部分で光が屈折し、一種のプリズム効果を与えて、従来にないフレームデザインを構成する。上記境界溝８９０は、少なくとも風防の上縁部に沿って設けるのが望ましい。風防部の上縁部は眼鏡フレームにおいて最も目立つ部分だからである。
【００９４】
本願発明は、上述の実施の形態に限定されることはない。
実施の形態は、本願発明を、独立した左右のレンズをブリッジで連結されたリム部を有するフレームに保持する形態の眼鏡に適用したが、左右のレンズ部を一体的に形成した眼鏡にも適用することもできる。
【００９５】
また、実施の形態では、レンズの周囲をリム部によって保持するように構成したが、リム部を備えずレンズをブリッジあるいは眉で直接連結する形態の眼鏡にも適用することができる。この場合、風防をレンズの縁部に装着できるように構成すればよい。たとえば、風防部を柔軟な樹脂で形成してリム部の縁部に接着により接合したり、嵌合手段により接合すればよい。また、鼻当て部に風防部を連結することもできる。
【００９６】
また、第６の実施の形態では、リム部の周囲に風防の縁部外側に重なる延出部を設けたが、風防とフレームとの間に隙間が生じないように、リム部ないしレンズ部の縁部に、風防の縁部と嵌合する他の手段を設けることもできる。
【００９７】
また、第５の実施の形態において、サングラス用レンズと度付きレンズとを採用したが、二枚の視力矯正用レンズを採用することもできる。
さらに、第５の実施の形態において、第２のレンズを眼鏡本体に対して取り外し可能な風防に装着するように構成したが、第１の実施の形態の眼鏡と一体形成した風防部にレンズを保持する溝を形成して、第２のレンズを着脱可能に保持させることもできる。
【図面の簡単な説明】
【００９８】
【図１】本願発明の第１の実施の形態に係る風避け眼鏡の正面図である。
【図２】図１に示す風避け眼鏡の右側面図である。
【図３】図１に示す風避け眼鏡の平面図である。
【図４】図１におけるIV−IV線に沿う断面図である。
【図５】図４における V−V 線に沿う断面図である。
【図６】本願発明の第２の実施の形態に係る風避け眼鏡の平面図である。
【図７】図６に示す風避け眼鏡の背面図である。
【図８】図６に示すフレームの背面図である。
【図９】図６に示す風防の側面図である。
【図１０】図６における X−X 線に沿う断面図である。
【図１１】本願発明の第３の実施の形態に係る風避け眼鏡の背面図であり、図７に相当する背面図である。
【図１２】図１１における XII−XII 線に沿う断面図である。
【図１３】本願発明の第４の実施の形態に係る風避け眼鏡の正面図である。
【図１４】図１３に示す風避け眼鏡の平面図である。
【図１５】図１３に示す風避け眼鏡の要部の右側面図である。
【図１６】図１３における XVI−XVI 線に沿う断面図である。
【図１７】図１３に示す風防の平面図である。
【図１８】図１３に示す風防の正面図である。
【図１９】図１３に示す風防の右側面図である。
【図２０】図１８におけるXX−XX線に沿う断面図である。
【図２１】図１８における XXI−XXI 線に沿う断面図である。
【図２２】風防と目の位置関係を示す説明図である。
【図２３】本願発明の第５の実施の形態に係る風防の正面図である。
【図２４】図２３に示す風防を眼鏡に装着した状態を示す図であり、図１６に相当する断面図である。
【図２５】本願発明の第６の実施の形態に係る風避け眼鏡の平面図である。
【図２６】図２５に示す風避け眼鏡の平面図である。
【図２７】図２５における XXVII−XXVII 線に沿う断面図である。
【図２８】本願発明の第７の実施の形態に係る断面図であり、図２７に相当する断面図である。
【図２９】本願発明の第８の実施の形態に係る風避け眼鏡の平面図である。
【図３０】図２９に示す風避け眼鏡の横方向断面図であり、図４に相当する図面である。
【図３１】図３０におけるXXXI−XXXI線に沿う断面図である。
【符号の説明】
【００９９】
１０１  風避け眼鏡
１０６  レンズ
１０２  フレーム
１０７  風防
【図１】
0003605804.tif 000002
【図２】
0003605804.tif 000003
【図３】
0003605804.tif 000004
【図４】
0003605804.tif 000005
【図５】
0003605804.tif 000006
【図６】
0003605804.tif 000007
【図７】
0003605804.tif 000008
【図８】
0003605804.tif 000009
【図９】
0003605804.tif 000010
【図１０】
0003605804.tif 000011
【図１１】
0003605804.tif 000012
【図１２】
0003605804.tif 000013
【図１３】
0003605804.tif 000014
【図１４】
0003605804.tif 000015
【図１５】
0003605804.tif 000016
【図１６】
0003605804.tif 000017
【図１７】
0003605804.tif 000018
【図１８】
0003605804.tif 000019
【図１９】
0003605804.tif 000020
【図２０】
0003605804.tif 000021
【図２１】
0003605804.tif 000022
【図２２】
0003605804.tif 000023
【図２３】
0003605804.tif 000024
【図２４】
0003605804.tif 000025
【図２５】
0003605804.tif 000026
【図２６】
0003605804.tif 000027
【図２７】
0003605804.tif 000028
【図２８】
0003605804.tif 000029
【図２９】
0003605804.tif 000030
【図３０】
0003605804.tif 000031
【図３１】
0003605804.tif 000032